(57)【特許請求の範囲】
【請求項１】
浴槽に取り付けられた管状体を前記浴槽の外面に固定するための浴槽における管状体固定構造であって、前記浴槽の外面に、複数の補強用のリブを所定間隔を保って設け、前記リブ間に前記管状体が入り込んだ状態で固定されていることを特徴とする浴槽における管状体固定構造。
【請求項２】
前記複数のリブのうちの所定のリブが、前記管状体の直径と略等しい間隔を保って配置された一対のリブであり、前記管状体が前記一対のリブ間に差し込まれて固定された請求項１に記載の浴槽における管状体固定構造。
【請求項３】
前記複数のリブのうちの所定のリブが、前記管状体の直径よりもやや大きな間隔を保って配置された一対のリブであり、前記管状体が、横断面形状がコ字状に形成された固定部材の内部側に位置決めされ、前記固定部材を前記一対のリブに係合させることにより前記リブ間に固定された請求項１に記載の浴槽における管状体固定構造。
【発明の詳細な説明】
【０００１】
【発明の属する技術分野】
本発明は、浴槽に取り付けられた排水栓操作用のレリースケーブルを被覆するためのチューブや排水ホース等の管状体を浴槽の外面に固定するための浴槽における管状体固定構造に関する。
【０００２】
【従来の技術】
従来から、浴槽の中には、浴槽の上面縁部に設けられた操作スイッチを押すことにより浴槽内の水を浴槽底部に設けられた排水栓から排水できるいわゆるワンタッチ排水栓を備えたものがある（例えば、特許文献１）。このような浴槽では、操作スイッチと排水栓との間をレリースケーブルで接続するとともに、このレリースケーブルを保護用のチューブで被覆している。また、浴槽の底部には、排水栓から外部に水を排水するための排水ホースも取り付けられている。
【０００３】
【特許文献１】
特開２００２−１８８１９７号公報
【０００４】
【発明が解決しようとする課題】
しかしながら、前述した従来の浴槽では、浴槽を浴室内に設置する際の運搬時に、レリースケーブルや排水ホースを引っ張ってしまったり、レリースケーブルや排水ホースが垂れて物に引っ掛かってしまったりすることがある。このため、レリースケーブルや排水ホースが破損したり、作動不良を起したりすることがあるという問題がある。
【０００５】
【発明の概要】
本発明は、上記問題に対処するためになされたもので、その目的は、レリースケーブルや排水ホース等の管状体を浴槽の外面に固定することにより外力から保護して破損を防止することのできる浴槽における管状体固定構造を提供することである。
【０００６】
上記の目的を達成するため、本発明にかかる浴槽における管状体固定構造の構成上の特徴は、浴槽に取り付けられた管状体を浴槽の外面に固定するための浴槽における管状体固定構造であって、浴槽の外面に、複数の補強用のリブを所定間隔を保って設け、このリブ間に管状体が入り込んだ状態で固定されていることにある。
【０００７】
前記のように構成した本発明の浴槽における管状体固定構造によれば、リブとリブの間に管状体が入り込んだ状態で固定される。したがって、浴槽の取り付けのために、浴槽を浴室内に運搬する際、作業者が管状体を不用意に掴んでしまうようなことはなくなり、また、管状体が垂れて物に引っ掛かったりすることもなくなる。これによって、管状体が破損することを防止できる。また、この場合、浴槽を補強するためのリブを管状体固定用に共用でき、補強用リブの有効利用が可能になる。
【００１０】
また、本発明にかかる浴槽における管状体固定構造の他の構成上の特徴は、複数のリブのうちの所定のリブが、管状体の直径と略等しい間隔を保って配置された一対のリブであり、管状体が一対のリブ間に差し込まれて固定されたことにある。これによると、管状体をリブ間に差し込むだけですむため、管状体を固定するための作業が容易になる。
【００１１】
また、本発明にかかる浴槽における管状体固定構造のさらに他の構成上の特徴は、複数のリブのうちの所定のリブが、管状体の直径よりもやや大きな間隔を保って配置された一対のリブであり、管状体が、横断面形状がコ字状に形成された固定部材の内部側に位置決めされ、固定部材を一対のリブに係合させることによりリブ間に固定されたことにある。これによると、リブの間隔が管状体の直径よりも大きすぎても、リブ間に適正な状態で管状体を固定することができる。
【００１２】
【発明の実施の形態】
以下、本発明の一実施形態を図面を用いて説明する。図１および図２は、本発明の浴槽における管状体固定構造を備えた浴槽１０を示している。この浴槽１０では、上面中央に湯を溜めるための凹部１０ａが設けられ、その底部に凹部１０ａ内の湯や水を排出するための排水栓１１が設けられている。そして、凹部１０ａの両側面には、浴槽内から体を起すときの支えとして使用されるハンドグリップ１２ａ，１２ｂが設けられている。
【００１３】
また、浴槽１０の上面縁部１０ｂにおける一方の角部に凹部１０ａ内に湯や水を入れるための水栓１３と、排水栓１１を開閉操作するための押しボタン式の操作スイッチ１４とが設けられている。操作スイッチ１４は、図２に示すように、レリースケーブル１５および収容ボックス１６を介して排水栓１１に連結されている。収容ボックス１６内には、操作スイッチ１４の操作に応じて、排水栓１１を開閉するための駆動装置が収容されている。また、レリースケーブル１５の周面には、レリースケーブル１５を被覆して保護するとともに、漏水を防止するためのチューブ１７が設けられている。さらに、排水栓１１が取り付けられた排水口１８には浴槽１０内の湯や水を排出するための排水ホース１９が連結されている。
【００１４】
また、浴槽１０の外側面には、所定間隔を保って複数の補強用のリブ２０が設けられており、このリブ２０間にチューブ１７が固定されている。このチューブ１７の固定は、図３に示したように行われている。すなわち、リブ２０は、チューブ１７の直径と略等しい間隔で配置された一対のリブ２０ａ，２０ｂが複数組所定間隔を保って上下方向に沿って設けられており、そのうちの所定の一対のリブ２０ａ，２０ｂ間に差し込まれてチューブ１７が固定されている。また、浴槽１０の下面には、浴槽１０の長手方向に沿って延びる支持部２１ａ，２１ｂが設けられている。この支持部２１ａ，２１ｂは、浴槽１０を支えるとともに、補強用のリブとしての作用効果も奏する。
【００１５】
この構成において、浴槽１０を浴室内に運んで所定の場所に設置する際には、まず、排水ホース１９を、支持部２１ａ，２１ｂ間における支持部２１ａまたは支持部２１ｂの長手方向に沿った側部に当てて粘着テープ等を用いて固定する。そして、作業者は、浴槽１０の上面縁部１０ｂや底面部を持って浴槽１０の運搬作業や設置作業を行う。この場合、排水ホース１９は、浴槽１０の底面における支持部２１ａ，２１ｂ間に固定され、チューブ１７は、浴槽１０の側面におけるリブ２０ａ，２０ｂ間に固定されるため、揺れ動いて邪魔になったり、物に引っ掛かったりすることがない。このため、浴槽１０の運搬作業や設置作業をスムーズに行える。
【００１６】
また、チューブ１７および排水ホース１９は浴槽１０の外面に固定されているため、作業者が運搬の際に不用意にこれを掴んでしまうようなことをも防止することができる。その結果、チューブ１７を引っ張って排水栓１１が作動不良になったり、排水ホース１９を引っ張って排水ホース１９を破損したりすることがなくなる。そして、浴槽１０を所定の場所に位置決めしたのちに、排水ホース１９の先端部を所定の排水管（図示せず）に連結する。この場合、必要に応じて、排水ホース１９の支持部２１ａまたは支持部２１ｂへの固定を解除する。また、水栓１３を水道管（図示せず）に連結する。これによって、浴槽１０の浴室への設置作業が終了する。
【００１７】
また、入浴のために、浴槽１０内に湯を入れる場合には、水栓１３の給湯操作部１３ａと給水操作部１３ｂとを開閉調節して、適温の湯を凹部１０ａ内に入れる。そして、入浴後に、凹部１０ａ内の湯または水を排水する場合には、操作スイッチ１４を押す。これによって、収容ボックス１６内の駆動装置が作動して、排水栓１１が開く。その結果、凹部１０ａ内の湯または水は、浴槽１０の排水口１８から排水ホース１９および配水管を通過して外部に排出される。そして、排水が終了すると、再度、操作スイッチ１４を押す。これによって、排水栓１１は閉じる。
【００１８】
このように、本発明にかかる浴槽の管状体固定構造では、チューブ１７が、リブ２０ａ，２０ｂ間に固定されて保護されるため、破損して排水栓１１が作動不良を起したりすることが防止できる。これによって、排水栓１１の適正な作動状態を維持できる。また、排水ホース１９も引っ張られたり、物に引っ掛かったりして破損してしまうことを防止することができる。
【００１９】
また、図４は、本発明の他の実施形態による浴槽の管状体固定構造を示している。この固定構造では、リブ２５ａ，２５ｂの間隔が、チューブ１７の直径よりも大きく設定されている。そして、チューブ１７は、複数の固定部材２６を介してリブ２５ａ，２５ｂ間に固定されている。固定部材２６は、横断面形状がコ字状に形成された部材で構成されており、内面側にチューブ１７を差し込ませてリブ２５ａ，２５ｂ間に差し込まれることにより、チューブ１７をリブ２５ａ，２５ｂ間に固定している。それ以外の部分の構成については、前述した実施形態と同一である。したがって、同一部分に同一符号を記している。
【００２０】
これによると、リブ２５ａ，２５ｂをチューブ１７の直径に合わせて形成する必要がなくなるため、浴槽の製造が容易になる。また、固定部材２６によって、チューブ１７は、リブ２５ａ，２５ｂ間から抜け止めされるため、チューブ１７のより確実な固定が可能になる。それ以外の作用効果については、前述した実施形態と同様である。
【００２１】
また、図５は、本発明のさらに他の実施形態による浴槽の管状体固定構造を示している。この固定構造では、図４に示した固定構造における固定部材２６に替えて、粘着テープ２７を用いている。それ以外の部分の構成については図４に示した固定構造と同一である。すなわち、リブ２５ａ，２５ｂ間にチューブ１７を入れ、浴槽の一方側の外側面からリブ２５ａ，２５ｂの表面を越えて浴槽の他方の外側面にわたって粘着テープ２７を貼り付けている。これによると、簡単かつ安価な方法でチューブ１７の固定ができる。それ以外の作用効果については、前述した各実施形態と同様である。
【００２２】
また、本発明による浴槽における管状体固定構造は、前述した実施形態以外についても技術的範囲内で適宜変更実施が可能である。例えば、前述した実施形態では、水栓１３が取り付けられた浴槽１０を浴室に設置するようにしているが、この浴槽１０としては、水栓１３が取り付けられていないものを浴室内に運び、所定の場所に設置する際に、水栓１３を取り付けるようにしてもよい。
【００２３】
また、前述した実施形態では、排水ホース１９を粘着テープで支持部２１ａまたは支持部２１ｂに固定するようにしているが、支持部２１ａ，２１ｂの近傍にリブを設け、このリブと支持部２１ａまたは支持部２１ｂとで排水ホース１９を挟んで固定するようにしてもよい。さらに、固定部材としては、前述した固定部材２６や粘着テープ２７に限らず、プラスチック製のバンドや、針金、紐等を用いることもできる。この場合、適宜、バンド等を固定するための穴や固定部材をリブに設ける。
【図面の簡単な説明】
【図１】  本発明の一実施形態によるチューブの固定構造を備えた浴槽の上部を示した斜視図である。
【図２】  図１に示した浴槽の縦断面図である。
【図３】  リブ間にチューブを固定した状態の要部を示す正面図である。
【図４】  他の実施形態によるリブ間にチューブを固定した状態の要部を示す正面図である。
【図５】  さらに他の実施形態によるリブ間にチューブを固定した状態の要部を示す正面図である。
【符号の説明】
１０…浴槽、１１…排水栓、１４…操作スイッチ、１５…レリースケーブル、１７…チューブ、１９…排水ホース、２０，２１ａ，２１ｂ，２５ａ，２５ｂ…リブ、２１ａ，２１ｂ…支持部、２６…固定部材、２７…粘着テープ。
【図１】
0003689690.tif 000002
【図２】
0003689690.tif 000003
【図３】
0003689690.tif 000004
【図４】
0003689690.tif 000005
【図５】
0003689690.tif 000006